【事件の表示】
　特願２００２−５８４５１４「光ＣＷＤＭシステム」拒絶査定不服審判事件〔平成１４年１０月３１日国際公開、ＷＯ０２／８７１２７、平成１６年　９月３０日国内公表、特表２００４−５３０３６３〕について、次のとおり審決する。
【結　論】
　本件審判の請求は、成り立たない。
【理　由】
第１　手続の経緯及び本願発明　
　
１．手続の経緯
　本願は，平成１４年４月２３日（優先権主張　２００１年４月２３日，同年５月２３日　スウェーデン（ＳＷ））を国際出願日とする出願であって，平成１８年２月８日付けで拒絶査定され，同年５月１５日に拒絶査定不服審判の請求がなされ，同年６月１４日付けで手続補正書の提出がなされ，平成２１年１０月１６日付けで当審から拒絶の理由を通知し，平成２２年４月２０日付けで意見書とともに手続補正書の提出がなされ，同年６月１５日付けで当審から拒絶の理由を通知し，同年１２月２１日付けで意見書の提出がなされたものである。
　
２．本願発明
　本願の請求項１に係る発明（以下「本願発明」という。）は，平成２２年４月２０日付け手続補正書の特許請求の範囲の請求項１に記載された事項により特定される次のとおりのものである。
　
「　【請求項１】
　複数の論理ノードを含む多重化論理リング構造によって情報を光伝送するためのシステムであって、前記システムは、光アド／ドロップマルチプレクサ（ＯＡＤＭ）を有する複数の光アド／ドロップマルチプレクサ（ＯＡＤＭ）ノードを含み、各前記ＯＡＤＭノードは、リング状に同一の光ファイバリングに接続されており、
　前記多重化論理リング構造は、複数の論理光リングの組み合わせであり、前記複数の論理光リングの各々は複数の前記論理ノードの論理的な接続を含み、各前記論理ノードは、各前記ＯＡＤＭノードに対応し、
　前記複数の論理光リングの各々は相互に干渉しない特定の異なる波長で作動し、各前記波長は、前記論理光リングにおける光信号の波長であり、前記論理光リングにおいて光伝送を行なうための波長チャネルであり、
　各前記論理光リングは、特定の前記論理光リングを規定する前記波長チャネルの光信号が追加
および
　各前記ＯＡＤＭノードは、複数の波長が含まれる光信号から、特定の論理光リングを規定する特定の波長チャネルの光信号を抽出するフィルタ手段と、特定の波長の光信号を、前記特定の論理光リングを規定する前記特定の波長チャネルに追加する追加手段とを含む、システム。」　
（下線は，請求人が付与。）
　
３．平成２１年１０月１６日付け拒絶理由通知
　当審から通知した平成２１年１０月１６日付け拒絶理由通知書（以下「当審第１拒絶理由通知書」という。）に記載した事項は次のとおりである。
　
「この審判事件に関する出願は、合議の結果、以下の理由によって拒絶をすべきものです。これについて意見がありましたら、この通知書の発送の日から３ヶ月以内に意見書を提出してください　。　
　
　　　　　　　　　　　　　　　　　理　由　
　
　本件出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。　
　
　　　　　　記　　　（引用文献等については引用文献等一覧参照）　
　
第１．請求項１に係る発明（平成１８年６月１４日付け手続補正による。以下同じ。）（以下，「本願発明１」という。）に対して　
　
１．対比　
　当審において提示する特開２００１−３６５５７号公報（以下，「引用文献１」という。）又は特開平２００１−５３６８７号公報（以下，「引用文献２」という。）記載のものと，本願発明１を対比すると次の点で相違する。　
　
＜相違点１＞　
　上記引用文献１又は引用文献２記載のものも本願発明１も共に，多重化論理リング構造は，複数の論理光リングの組み合わせ，である点で一致しているが，本願発明１は多重化論理リング構造が「複数の論理光リングの各々は複数の論理ノードの論理的な接続を含む」構成を備えているのに対して，上記引用文献１，引用文献２には，当該構成について記載されていない点。　
　
＜相違点２＞　
　本願発明１は「複数の論理光リングの各々は相互に干渉しない特定の異なる波長で作動」しているのに対して，上記引用文献１，引用文献２には，波長を「相互に干渉しない」ように作動させる点について記載されていない点。　
　
＜相違点３＞　
　本願発明１は各論理光リングが特定の論理光リングを規定する波長チャネルの光信号が追加または省かれるが「他の波長チャネルの光信号は最低限のクロストークで通過するよう」に構成しているが，上記引用文献１，引用文献２には，当該構成について記載されていない点。　
　
２．検討　
　
＜相違点１＞について　
　当審において提示する特開平８−１８５３８号公報（以下，「引用文献３」という。）には，光多重波長ネットワークシステムにおいて「交換スイッチＳＷで宛先別に交換することにより，端末ノード間で通信を行う中央ノードＣＮ」が記載され，該光多重波長ネットワークシステムが複数の論理光リングの組み合わせであることは明白であるから，前記「中央ノードＣＮ」は本願発明１と同様の「多重化論理リング構造は，複数の論理光の組み合わせであり，前記複数の論理光リングの各々は複数の前記論理ノードの接続を含む」構成を有するものであって，前記「中央ノードＣＮ」の構成を，端末ノード間で通信を行うため，上記引用文献１又は上記引用文献２記載のものに適用することに格別な技術的困難はなく，また，上記の「前記複数の論理光リングの各々は複数の前記論理ノードの接続」を「論理的な接続」とすることは当業者が適宜なし得たことでもある。　
　よって，上記引用文献１又は引用文献２記載のものに対して，「多重化論理リング構造は，複数の論理光リングの組み合わせであり，前記複数の論理光リングの各々は複数の前記論理ノードの論理的な接続を含み」とすることは，当業者が容易に想到し得たものである。　
　
＜相違点２＞，＜相違点３＞について　
　本件出願の明細書【００２１】等記載の実施例によれば，異なる波長チャネルを互いに干渉しないチャネル間隔を（周波数帯域における２４００ＧＨｚに対応する）２０ｎｍとし，最低限のクロストークで通過するようにした例が開示されている。　
　一方，上記引用文献１【００３６】，上記引用文献２【００１８】，【００１９】にも，異なる波長チャネルのチャネル間隔を，上記実施例と同じ２０ｎｍとしたことが記載されている。　
　そして，光の波長多重通信において異なるチャネルが相互に干渉しないようにすること（例えば，特開平１０−２４２９１７号公報（以下，「引用文献４」という。）【０００９】等参照。）も，光波長多重通信において波長間隔を十分にとることによってクロストークを低減しようとすること（例えば，特開２００１−７７７９３号公報（以下，「引用文献５」という。）【０００５】，【０００６】等参照。）も周知技術である。　
　以上を勘案すると，光波長多重通信において，チャネル間隔を２０ｎｍとしたことは，相互に干渉せず，最低限のクロストークになる程度に波長間隔を十分とったものであることは明らかである。　
　よって，相違点２，相違点３は格別なものではない。　
　
　そして，本願発明１のように構成したことによる効果も，引用文献１又は引用文献２記載のもの，引用文献３記載のもの，及び周知技術から，当業者が予測できた程度のものである。　
　よって，本願発明１（請求項１に係る発明）は，引用文献１又は引用文献２記載のもの，引用文献３記載のもの，及び周知技術に基づいて，当業者が容易に発明をすることができたものである。　
　
第２．請求項２から請求項７に係る発明に対して　
　
１．請求項２に係る発明のように光ファイバリングを，２つの光ファイバにより光ファイバペアとして構成することは，引用文献１（図１，図６），引用文献２（図１，図４），引用文献３（図１３）に記載されている。　
　
２．請求項３に係る発明のように第１のＯＡＤＭノードは，第２のＯＡＤＭノードと同一の波長で作動するようにすることは，当業者が適宜なし得ることである。
　
３．請求項４に係る発明のように１つの論理光リングから他の論理光リングへの情報の転送を可能にすることは，上記第１．に記載のとおりである。　
　
４．請求項５に係る発明のように，ＣＷＤＭリングに信号の倍音変調を行うための変調手段を接続することは，当業者が適宜なし得ることである。　
　
５．請求項６に係る発明のように，ＣＷＤＭシステムのチャネル帯域の少なくとも１つが多重チャネルＤＷＤＭシステムのために用いられることは，特開平９−１０５８３３号公報（以下，「引用文献６」という。）（【００２８】以降：「［櫛形分割システムの第２実施例］」）に記載されたとおりであって周知である。　
　
６．請求項７に係る発明のように，ブロードキャストノードを設け，予め定められた波長信号を抽出するようにすることは，当業者が適宜なし得ることである。
　
第３．請求項８に係る発明に対して　
　
　上記第１．の記載と同じ理由により，請求項８に係る発明は，引用文献１又は引用文献２記載のもの，及び引用文献３記載のものに基づいて，当業者が容易に発明をすることができたものである。　
　
第４．まとめ　
　
　請求項１から８に係る発明は，引用文献１又は引用文献２記載のもの，引用文献３記載のもの，及び周知技術に基づいて，当業者が容易に発明をすることができたものである。　
　
第５．その他（この拒絶の理由に対する意見，補正の検討にあたり）　
　
　現在，発明の詳細な説明は，当業者が請求項１，５に係る発明を実施することができる程度に明確かつ十分に記載されておらず，請求項５に係る発明については，経済産業省令で定めるところにより記載されたものでもなく，また，請求項１，５に係る発明は明確ではない，とする疑義を合議体は持っております。　　
　この拒絶の理由に対する意見書の提出にあたっては，次の事項の検討も含めてお願いします。　
　
１．請求項１について　
　請求項１には「前記多重化論理リング構造は、複数の論理光リングの組み合わせであり、前記複数の論理光リングの各々は複数の前記論理ノードの論理的な接続を含み」と記載されているが，当該多重化論理リング構造において，複数の論理ノードの論理的な接続とは，どのような接続であるのか，すなわち（１）ある論理光リングに属する論理ノード間のみの接続，を意味するのか，（２）ある論理光リングに属する論理ノードとそれとは異なる論理光リングに属する論理ノードとの間の接続，を意味するのか，（３）前記（１），（２）とは異なる「論理的な接続」を意味するのかが不明である。　
　
２．請求項５について　
　請求項５には「前記ＣＷＤＭリングは、前記光ファイバリングに接続されており、信号の倍音変調を行なうための変調手段」，また，本件明細書【００３０】には「図６は、この発明の実施例である、ネットワーク管理チャネルを備えたＣＷＤＭリング要素１００の電気領域におけるデータフローを示す。ネットワーク管理チャネルは、伝送信号チャネル１０１上の電気周波数領域における倍音として変調され得る。こうすることにより、１つのノードからの情報をシステムに分散させることができる。上記ＣＷＤＭリング要素１００は、パイロットトーン／倍音１０２を追加／除去するための装置を含む。分散された情報はたとえば、ノード間のリンク損失、または各ノードで集められる他の装置からの情報であり得る。」と記載されているが，（１）「倍音変調」，「倍音として変調」とは，どのような変調であるのか，（２）該「倍音」とは，請求項１から８に係る発明，詳細な説明に記載された実施の形態において，技術的にどのようなものであるのか，どのような技術上の意義を有するのかがそれぞれ不明である。　
　
　
　拒絶の理由が新たに発見された場合には拒絶の理由が通知される。　
　
＊＊＊引用文献等一覧　
１．特開２００１−３６５５７号公報　
（欧州特許出願公開第１０６３８０３号明細書：出願人提示文献）　
２．特開２００１−５３６８７号公報　
（欧州特許出願公開第１０６１６８４号明細書）　
３．特開平８−１８５３８号公報　
（米国特許第５７１７７９５号明細書）　
４．特開平１０−２４２９１７号公報（周知例）　
（欧州特許出願公開第８５９４８０号明細書）　
５．特開２００１−７７７９３号公報（周知例）　
６．特開平９−１０５８３３号公報（周知例）」
　
　なお，上記当審第１拒絶理由通知書における「第１」の「１．対比」に記載した「特開平２００１−５３６８７号公報」（引用文献２）は，正しくは「特開２００１−５３６８７号公報」（「引用文献等一覧」の「２．」として記載のとおり。）である。
　
４．平成２２年６月１５日付け拒絶理由通知
　当審から通知した平成２２年６月１５日付け拒絶理由通知書（以下「当審第２拒絶理由通知書」という。）に記載した事項は次のとおりである。
　
「この審判事件に関する出願は、合議の結果、以下の理由によって拒絶をすべきものです。これについて意見がありましたら、この通知書の発送の日から３ヶ月以内に意見書を提出してください　。　
　
　　　　　　　　　　　　　　　　　理　由　
　
　本件出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。　
　
　　　　　　記　　　（引用文献等については引用文献等一覧参照）　
　
　本願の請求項１ないし７に係る発明は，平成２２年４月２０日付けの手続補正書の特許請求の範囲の請求項１ないし７に記載された事項により特定されるものである。　
　
第１　請求項１に係る発明（以下「本願第１発明」という。以下同様。）　
　
　１．引用文献　
　特開平８−５１４０１号公報（以下「引用文献」という。）には図面とともに次の事項が記載されている。　
　
（１）　
「【０００４】 
【発明が解決しようとする課題】従来の光リングネットワーク通信システムは以上のように伝送路に波長多重された波長のひとつが各アクセスノードに固定されたノードアドレスとして割り当てられているので、システムに収容可能なノード数が、リングの波長多重数により決まってしまうと言う問題点があった。また、ノードへの送信可否を判定するために全ての波長スロットを取り込んで監視する必要があるとともに、任意の波長で送信ができるように光受信回路、光送信回路が波長数分必要となり、アクセスノードの装置構成が複雑で大きなものになり、更に、各ノードでのアクセス制御も複雑になるという問題点があった。 
 【０００５】この発明は上記のような問題点を解決するためになされたもので、システムに収容可能なノード数の制約を緩くすることができるとともに、アクセスノードの構成規模を小さくし、アクセス制御の簡略化を図ることを目的とする。」
　
（２）
「【００２０】 
【実施例】 
実施例１．図１は本実施例における光リングネットワークの構成を示すものであり、図２は本発明におけるデータセル転送形態を示す図である。図１において、１１は交換ノード（図中、ＥＮと表す）、１２はアクセスノード（図中、ＡＮと表す）、１３は複数の波長が波長多重されたリング状の伝送路を示す。 
【００２１】次に動作について説明する。リング状の伝送路１３には複数の波長λ0〜λnが波長多重されており、波長λ0 はデータセル転送のための制御情報を伝送する制御波長であり、波長λ1〜λnはデータセル転送用の波長である。交換ノード１１はリング内にひとつ存在し全ての波長λ0〜λnに接続される。また、各複数のアクセスノードは制御波長λ0及び特定のデータセル転送用波長λiの２つに接続され、ノードアドレスとして自ノードの収容される波長例えば、λi とその波長内でのノードNO例えば、#kを持つ。これにより、システムに収容可能なノード数は（リングの波長多重数）×（ノードNOの数）となり、従来に比べ、（ノードNOの数）倍される。 
【００２２】データセルの転送は図２において図に示される波長スロット単位に行われ、波長スロットは制御波長λ0内に構成されるアクセス制御フレームに同期してλ1〜λn 分のｎスロットが１フレームに存在することになり、各アクセスノード１２はλ0 にて引き込んだフレームに同期して動作する。例えばノードアドレス（λ2,#i）のアクセスノード１２がノードアドレス（λi,#k）のアクセスノード１２にセルを送信する時には、λ0 のアクセス制御フレームより自ノードの属する波長λ2と相手ノードの収容される波長λiの両スロットが空であるスロットの自波長スロットにセルを挿入するとともに、該当スロットの制御フレームに自波長スロットの獲得表示情報及び相手波長スロットの獲得表示情報をセットすることで送信動作を行う。これを受けた交換ノード１１は制御フレームの情報に従って同一フレーム内のセルに対しλ2→λiへの波長変換を行ってデータセルを指定されたλiのスロットに挿入する。相手受信アクセスノード１２は制御フレームの情報を常に監視することで、収容される波長λi のスロットに自受信ノード番号宛てのセルを検出し、これを取り込むことによりデータの受信が行われる。セルの受信を完了したアクセスノード１２は受信セルの挿入されていた波長スロットを開放する。 
【００２３】図３は本実施例における光リングネットワークでの、データセル転送のための制御情報を伝送する制御波長λ0 のアクセス制御フレームの構成を示すものである。図３においてアクセス制御フレームは、フレームの同期情報Ｆとデータセル転送用の波長スロット（λ1〜λn）制御情報が多重された構成をとる。 
【００２４】また、各波長スロット制御情報は、対応するスロットの予約を行う予約表示情報、データセル転送に使用中であることを示す獲得表示情報、スロットの予約を行ったアクセスノードのアドレスを示す予約ノードアドレス、スロット内のデータセル転送に係わる送信ノードアドレス及び受信ノードアドレスにより構成される。 
【００２５】例えば図２において、ノードアドレス（λ2,#i）のアクセスノード１２がノードアドレス（λi,#k）のアクセスノード１２にセルを送信する場合は、送信側波長λ2と受信側波長λiの両スロットが空であるスロットのλ2 のスロットにセルを挿入するとともに、該当スロットの制御フレーム内のλ2及びλiの位置に獲得表示情報のセットを行い、送信ノードアドレスに（λ2,#i）を、受信ノードアドレスに（λi,#k）をセットする。これを受けた交換ノード１１は制御フレームの情報に従って同一フレーム内のセルに対しλ2→λiへの波長変換を行ってデータセルを指定されたλi のスロットに挿入する。同時にλ2 波長スロットの制御情報において獲得表示情報をクリアすることでλ2波長スロットを開放する。受信アクセスノード１２は制御フレームの情報を監視し、収容される波長λiのスロットに自受信ノード番号宛てのセルを検出すると、これを取り込んでデータセルの受信が行われる。データセルの受信を完了したアクセスノード１２はλi 波長スロットの制御情報において獲得表示をクリアすることで受信データセルの挿入されていた波長スロットを開放する。 
【００２６】以上のように、本実施例の光リングネットワーク通信システムは、光信号が波長多重されたリング状の伝送路上での各ノードの接続構成を、波長多重された全ての波長に接続されたひとつの交換ノードと、制御情報を伝送する波長λ0 と特定の波長λi の２波長に接続された複数のアクセスノードからなるものとする。また、ひとつの波長λ0 に制御信号を割り当て、各ノードが送受信する際に使用する制御情報をデータセルを転送するスロット毎にフレームに組み立てている。本実施例では、この制御情報を使ってどのようにしてデータセルの転送を行うかについて述べた。また、これにより波長多重された任意の波長に複数のノードが収容でき伝送路に多重された波長数に制限されずに複数のノードを接続できる。」 
　
（３）　
「【００３１】実施例３．本実施例では、送信側アクセスノード１２の収容される波長と、受信側アクセスノード１２の収容される波長が同一の場合、どのようにしてデータセルの送受信を行うかについて述べる。 
【００３２】図４は本実施例における光リングネットワークでのデータセルの転送形態を示すものである。通常、収容される波長が異なるアクセスノード１２間でのデータセルの転送は、送信側波長と受信側波長の両スロットが空である送信側波長のスロットにセルを挿入し、交換ノード１１にて波長変換後されてから受信アクセスノード１２で受信されるが、データセルを送信するアクセスノード１２の収容される波長と、該データセルを受信するアクセスノード１２の収容される波長が同一の場合、該データセルを含む波長スロットが前記交換ノードを経由する以前に受信ノードに到着した時点でデータセルの受信が可能である。 
【００３３】例えば、図３・図４において、ノードアドレス（λn,#j）のアクセスノード１２がノードアドレス（λn,#k）のアクセスノード１２にセルを送信する場合、送信側及び受信側波長であるλn の空である波長スロットにセルを挿入するとともに、該当波長スロットの制御フレーム内のλn の位置にのみ獲得表示を行い、送信ノードアドレスに（λn,#j）を、受信ノードアドレスに（λn,#k）をセットする。受信アクセスノード１２が交換ノード１１よりも送信アクセスノード１２側に位置する場合は、交換ノード１１を経由する以前に受信アクセスノード１２で該送信データセルが検出された時点でこれを取り込んでデータの受信が行われる。 
【００３４】また、図において、ノードアドレス（λ2,#i）のアクセスノード１２がノードアドレス（λ2,#k）のアクセスノード１２にセルを送信するような交換ノード１１が受信アクセスノード１２よりも送信アクセスノード１２側に位置する場合は、送信側動作は上記と同様であるが、これを受けた交換ノード１１は、処理を行わずスルーで該波長スロットを通過させ、受信アクセスノード１２で該送信データセルが検出された時点でこれを取り込んでデータの受信が行われる。
【００３５】以上のようにこの実施例では、データセルを送信するアクセスノードの収容される波長と、該データセルを受信するアクセスノードの収容される波長が同一の場合、該データセルを含むスロットが前記交換ノードを経由する以前に受信ノードに到着した時点でデータセルを受信できるようにした例について述べた。これにより、セルの転送を効率的に行うことができる。」
　
（４）
「【００４０】実施例５．本実施例では、アクセスノードの構成について述べる。図６は本実施例におけるノードアドレス（λi,#j）のアクセスノード１２の構成を示すものである。図６において、１２はアクセスノード、６０１はλ0 とλiの波長を分離する分波器、６０２はλ0とλi の波長を多重する合波器である。６０３はλ0のアクセス制御フレーム及びλiの波長スロットを電気→光変換する光送信回路である。６０４はλ0のアクセス制御フレーム及びλiの波長スロットを光→電気変換する光受信回路である。６０５はλ0 のアクセス制御フレームからフレーム同期情報を検出してフレーム同期をとるフレーム同期回路である。６０６はアクセス制御フレームから各波長スロット制御情報を分離・解析して出力するとともに受信波長セルスロットの制御を行う受信制御回路である。６０７はデータセル受信波長スロットからデータセルを分離するデータセル分離回路、６０８は受信データセルの処理を行いノードの収容する装置にデータを出力する受信処理回路である。６０９は送信する波長スロットのアクセス制御を行うアクセス制御回路、６１０はアクセス制御回路６０９の処理結果に従ってアクセス制御フレームの波長スロット制御情報に制御情報を設定する制御情報挿入回路である。６１１はノードの収容する装置から受信した送信データをデータセルに組み立てる送信処理回路、６１２は送信するデータセルをアクセス制御回路６０９の指示に従って波長スロットに挿入するデータセル挿入回路である。 
【００４１】次に動作について説明する。リング状の伝送路１３に多重されたλ0〜λnの波長のうち、分波器６０１により波長λ0とλiが個別に分離されたのち光受信回路６０４にて光→電気変換されてλ0 のアクセス制御フレームはフレーム同期回路６０５と受信制御回路６０６に入力され、λi の受信波長スロットはデータセル分離回路６０７に入力される。 
【００４２】フレーム同期回路６０５はλ0 のアクセス制御フレームからフレーム同期情報を検出してフレーム同期をとり、光送信回路６０３と光受信回路６０４以外の各部にスロットタイミングを供給する。受信制御回路６０６はアクセス制御フレームから各波長スロット制御情報を分離・解析してアクセス制御回路６０９に出力するとともに波長スロットの受信制御を行う。データセル分離回路６０７は受信制御回路６０６からの指示にもとずいて受信波長スロットからデータセルを分離し、分離されたデータセルは受信処理回路６０８で受信処理が行われてノードの収容する装置にデータを出力する。 
【００４３】アクセス制御回路６０９ではノードに接続する制御装置等からデータ送信要求を受け、受信制御回路６０６で解析された各波長スロット制御情報から波長スロットの空の検出及び予約等のアクセス制御を行って、制御情報挿入回路６１０に処理結果を通知する。これに従って制御情報挿入回路６１０はアクセス制御フレームの波長スロット制御情報に制御情報を挿入する。これと並行して送信処理回路６１１でノードの収容する装置からの送信データがデータセルに組み立てられ、データセル挿入回路６１２によって指定された波長スロットに挿入される。 
【００４４】以上のように、本実施例で述べたアクセスノードは波長多重された全ての波長に対する光送信回路及び光受信回路を実装する必要がなく、制御波長λ0 及び収容波長λi の２つの波長の処理にのみ必要な光受信回路及び光送信回路を実装する例について述べた。これにより、アクセスノードの構成規模が複雑になるという課題を解決することができる。 
【００４５】 
【発明の効果】本発明によれば、アクセスノードは、自ノードに割り付けられた波長で送受信することができるため、アクセスノードの装置構成の簡略化と小型化ができ、さらにアクセス制御の簡略化を図ることができる。 
【００４６】また、本発明によれば、特定の波長により制御情報を送ることができるため、より細かいアクセス制御がより簡単に行える。 
【００４７】また、本発明によれば、波長多重された任意の波長に複数のアクセスノードが収容できるため、伝送路に多重された波長数に制限されずに複数のアクセスノードを接続できる。また、各アクセスノードが制御情報を用いることにより各波長ごとのスロット単位でデータ転送ができる。 
【００４８】また、本発明によれば、スロットを予約する制御情報を持たせたことにより、セル廃棄の少ない確実なデータの転送ができるようになる。 
【００４９】また、本発明によればデータを送信するアクセスノードと、該データを受信するアクセスノードの波長が同一の場合、セルの転送を効率的に行うことができる。
【００５０】また、本発明によれば交換ノードにおいて、制御情報をもとに波長変換スイッチにより波長変換を行うようにしたので、割り当てられた波長が異なるアクセスノード間の通信が容易に実現できるとともにアクセス制御の簡略化を図ることができる。 
【００５１】また、本発明によれば、各アクセスノードが波長多重された全ての波長に対する光送信回路及び光受信回路を実装する必要がないので、アクセスノードの構成規模が複雑になるという課題を解決することができる。」
　
２．対比　
　引用文献の上記の記載事項と本願第１発明を対比する。　
　
・アクセスノードの「分波器（６０１）」，「合波器（６０２）」は本願第１発明の「光ドロップマルチプレクサ」，「光アドマルチプレクサ」に相当し，該「アクセスノード」は本願第１発明の「光アド／ドロップマルチプレクサ（ＯＡＤＭ）ノード」といえる。 
　リング状の伝送路（１３）は光リングネットワークを構成するのであるから，該「伝送路（１３）」が「光ファイバリング」であることは明らかである。そして，該リング状の伝送路（１３）には，複数の波長λ0〜λnが波長多重され，特定の波長を分離，合成するアクセスノードが接続されるのであるから，上記引用文献１には本願第１発明と同じく「各ＯＡＤＭノードがリング状に同一の光ファイバリングに接続され」る構成が記載されているといえる。 
　また【００２２】，【００３４】の記載によれば，波長が異なる場合のアクセスノードでのデータセルの送受信では，交換ノードで波長の変換をし，あるいは波長が同一の場合のアクセスノードでのデータセルの送受信では，交換ノードでスルーすることにより，アクセス制御フレームのスロットを利用し，アクセスノード間でデータセルの送受信を上記の「リング状の伝送路（１３）」により行うのであり，該「伝送路」に波長λ0〜λnに対応した複数の光リングが論理的に構成され，さらにアクセスノードが論理ノードであることは明らかであるから，該「リング状の伝送路」は本願第１発明の「多重化論理リング構造」であり，「複数の論理光リングの組み合わせ」であり，「複数の論理光リングの各々は複数の論理ノードの論理的な接続」を含んでいるといえる。 
（なお，上記「１．引用文献」の（２）及び（３）の記載より，引用文献記載のネットワーク通信システムでは，λ1〜λn 分のｎスロットが１フレームを構成するアクセス制御フレームのスロットに，受信ノードアドレス（（λi,#k）または(λn,#k））をセットし，アクセスノード間の通信を行うことによって，波長多重された任意の波長に複数のノードが収容でき伝送路に多重された波長数に制限されずに複数のノードを接続できる。このアクセスノード間の通信が，２つのノードしか直接接続できないないものではなく，ネットワークシステムにおいて一度につき用いられる各波長に対して複数のノード，すなわち複数のポイントを直接接続できることは明らかである。よって，引用文献記載の「リング状の伝送路（１３）」は，論理トポロジーが「リング」であり，本件出願の詳細な説明【０００９】記載のようなネットワークの論理トポロジーが「スター型」には当たらない。） 
　
・引用文献には「特定の論理光リングを規定する波長チャネルの光信号が追加および省かれるが他の波長チャネルの光信号は通過するように，各ＯＡＤＭノードのうちの一連の前記ＯＡＤＭノードに対応する各論理ノードにより」「各論理光リング」が構成されていること，「離れた各波長チャネルにおいて各前記論理光リングが作動」することが記載されていることは明らかである。 
　
　以上から，引用文献には次の事項が記載され，本願第１発明と一致している。
　
　複数の論理ノードを含む多重化論理リング構造によって情報を光伝送するためのシステムであって，前記システムは，光アド／ドロップマルチプレクサ（ＯＡＤＭ）を有する複数の光アド／ドロップマルチプレクサ（ＯＡＤＭ）ノードを含み，各前記ＯＡＤＭノードは，リング状に同一の光ファイバリングに接続されており， 
　前記多重化論理リング構造は，複数の論理光リングの組み合わせであり，前記複数の論理光リングの各々は複数の前記論理ノードの論理的な接続を含み，各前記論理ノードは，各前記ＯＡＤＭノードに対応し， 
　各前記波長は，前記論理光リングにおける光信号の波長であり，前記論理光リングにおいて光伝送を行なうための波長チャネルであり， 
　各前記論理光リングは，特定の前記論理光リングを規定する前記波長チャネルの光信号が追加および省かれるが他の波長チャネルの光信号は通過するように，各前記ＯＡＤＭノードのうちの一連の前記ＯＡＤＭノードに対応する各前記論理ノードにより構成されており，離れた各波長チャネルにおいて各前記論理光リングが作動し， 
　各前記ＯＡＤＭノードは，複数の波長が含まれる光信号から，特定の論理光リングを規定する特定の波長チャネルの光信号を抽出するフィルタ手段と，特定の波長の光信号を，前記特定の論理光リングを規定する前記特定の波長チャネルに追加する追加手段とを含む，システム。 
　
　そして，上記引用文献には次の点（以下「相違点」という。）についての記載がない。 
　
＜相違点１＞ 
　本願第１発明は「複数の論理光リングの各々は相互に干渉しない特定の異なる波長で作動」しているのに対して，引用文献には波長を「相互に干渉しない」ように作動させる点について記載されていない点。 
　
＜相違点２＞ 
　本願第１発明では，「各ＯＡＤＭノードのうちの一連の前記ＯＡＤＭノードに対応する各論理ノードにより」，「各論理光リングは，特定の論理光リングを規定する波長チャネルの光信号が追加および省かれるが他の波長チャネルの光信号」を「最低限のクロストーク」で通過させ，さらに「離れた各波長チャネルにおいて各論理光リング」の作動を「最低限のクロストーク」により「可能」としているが，引用文献には本願第１発明のように作用する「最低限のクロストーク」について記載がない点。 
　
３．判断 
　
＜相違点１＞，＜相違点２＞について 
　上記＜相違点１＞，＜相違点２＞については，平成２１年１０月１６日付け拒絶理由通知書の「第１　２．検討」の「＜相違点２＞，＜相違点３＞について」に記載と同様に，格別なものではない。 
　
　よって，本願第１発明（請求項１に係る発明）は，引用文献記載の発明及び周知技術に基づいて，当業者が容易に発明をすることができたものである。 
　
　なお，引用文献記載の「交換ノード（１１）」は本件出願の詳細な説明に記載された「マスターノード（３６）」に相当している。 
　
　
 第２　請求項２ないし７に係る発明に対して 
　
　請求項２ないし７に係る発明についても，上記「第１」と同様に，引用文献１記載の発明及び周知技術に基づいて，当業者が容易に発明をすることができたものである。
　
　
　拒絶の理由が新たに発見された場合には拒絶の理由が通知される。 
　
引用文献等一覧 
１．特開平８−５１４０１号公報」
　
５．平成２２年１２月２１日付け意見書
　請求人が提出した平成２２年１２月２１日付け意見書に記載された事項の概要は次のとおりである。
　
「【意見の内容】
第１　はじめに
　（１）　特願２００２−５８４５１４に係る不服２００６−９８７５審判事件（以下「本願」といいます。）についての平成２２年６月１５日付起案（同年６月２２日付発送）の拒絶理由通知書におきまして、審判官殿は、本願を以下の理由によって拒絶をすべきものである旨の見解を示されました。
＜理由＞　請求項１〜７に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者（以下「当業者」といいます。）が容易に発明をすることができたものであるから、特許法第２９条第２項の規定により特許を受けることができない。
・引用文献１：特開平８−５１４０１号公報
　（２）　これに対して出願人は、本願発明と引用文献１に係る発明とは、明らかに相違するものと思料致しますので、以下、そのことについてご説明申し上げます。
　
第２　本願発明について
　本願発明は、「光通信システムおよびこのようなシステムにおける方法に関する」ものです（段落０００１）。
　本願発明は、平成２２年４月２２日付提出の手続補正書における請求項１〜７に記載されるものであって、そのうち、独立の請求項１，７の記載は、以下のとおりです。
　　　　［請求項１］
　複数の論理ノードを含む多重化論理リング構造によって情報を光伝送するためのシステムであって、前記システムは、光アド／ドロップマルチプレクサ（ＯＡＤＭ）を有する複数の光アド／ドロップマルチプレクサ（ＯＡＤＭ）ノードを含み、各前記ＯＡＤＭノードは、リング状に同一の光ファイバリングに接続されており、
　前記多重化論理リング構造は、複数の論理光リングの組み合わせであり、前記複数の論理光リングの各々は複数の前記論理ノードの論理的な接続を含み、各前記論理ノードは、各前記ＯＡＤＭノードに対応し、
　前記複数の論理光リングの各々は相互に干渉しない特定の異なる波長で作動し、各前記波長は、前記論理光リングにおける光信号の波長であり、前記論理光リングにおいて光伝送を行なうための波長チャネルであり、
　各前記論理光リングは、特定の前記論理光リングを規定する前記波長チャネルの光信号が追加および省かれるが他の波長チャネルの光信号は最低限のクロストークで通過するように、各前記ＯＡＤＭノードのうちの一連の前記ＯＡＤＭノードに対応する各前記論理ノードにより構成されており、前記最低限のクロストークは、離れた各波長チャネルにおいて各前記論理光リングが作動することを可能とし、
　各前記ＯＡＤＭノードは、複数の波長が含まれる光信号から、特定の論理光リングを規定する特定の波長チャネルの光信号を抽出するフィルタ手段と、特定の波長の光信号を、前記特定の論理光リングを規定する前記特定の波長チャネルに追加する追加手段とを含む、システム。
　　　　［請求項７］
　複数の論理ノードを含む多重化論理リング構造を有するシステムによって情報を光伝送するための方法であって、前記システムは、光アド／ドロップマルチプレクサ（ＯＡＤＭ）を有する複数の光アド／ドロップマルチプレクサ（ＯＡＤＭ）ノードを含み、各前記ＯＡＤＭノードは、リング状に同一の光ファイバリングに接続されており、
　前記多重化論理リング構造は、複数の論理光リングの組み合わせであり、各前記論理光リングは、複数の前記論理ノードの論理的な接続を含み、各前記論理ノードは、各前記ＯＡＤＭノードに対応し、
　前記方法は、前記同一の光ファイバリングに接続された各前記ＯＡＤＭノードを含む前記システムにおいて、各前記ＯＡＤＭノードに対応する各前記論理ノードを有する前記論理光リングを組合せるステップを含み、
　前記複数の論理光リングの各々は相互に干渉しない特定の異なる波長で作動し、各前記波長は前記論理光リングにおける光信号の波長であり、前記論理光リングにおいて光伝送を行なうための波長チャネルであり、
　各前記論理光リングは、特定の論理光リングを規定する波長チャネルの光信号が追加および省かれるが他の波長チャネルの信号は最低限のクロストークで通過するように、各前記ＯＡＤＭノードのうちの一連の前記ＯＡＤＭノードに対応する各前記論理ノードにより構成されており、前記最低限のクロストークは、離れた各波長チャネルにおいて各前記論理光リングが作動することを可能とし、
　各前記ＯＡＤＭノードは、複数の波長が含まれる光信号から、特定の論理光リングを規定する特定の波長チャネルの信号を抽出するフィルタ手段と、特定の波長の光信号を前記特定の論理光リングを規定する前記特定の波長チャネルに追加する追加手段とを含む、方法。
　
第３　引用文献の開示について
　引用文献１は、「リング型のネットワークにおいて、リング伝送路に複数のリングを多重した（例えば波長多重リング）ネットワークシステムにおいて単位データを交換する場合の交換方式」に関する発明（以下「引用発明」といいます。）を開示しています（段落０００１）。
　引用発明の目的は、「システムに収容可能なノード数が、リングの波長多重数により決まってしまうことがなく、多重された波長数に制限されずに複数のノードを接続できるようにするとともに、アクセスノードの構成規模を小さくし、アクセス制御の簡略化及びセルの転送を効率的に行うこと」です（［要約］の［目的］）。
　引用発明は、「リング上に波長多重された全ての波長に接続されたひとつの交換ノード１１と、波長λ0と特定の波長λiの２波長に接続された複数のアクセスノード１２によりなる。ひとつの制御波長λ0 により各アクセスノード１２のアクセス制御情報をデータセルを転送するスロット毎にフレームに組み立てるようにする。送信ノード１２は自波長λiにてセルを送信し、制御波長λ0に制御情報を書き込む。送信セルの波長が受信ノード１２の波長に交換ノード１１にて制御情報をもとに波長変換されることで交換・転送を行う。」というものです（［要約］の［構成］）。
　
第４　本願発明と引用発明との対比
　（４−１）　請求項１について
　（１）　引用文献１は、ポイント‐ツー‐ポイント通信のための光システム、すなわち送信ノードから受信ノードまでのための光システム、を開示しており、従いまして、論理光リングを含むシステムを開示しておりません。
　（２）　引用文献１に開示されたシステムは、アクセスノードや交換ノードのような、本願発明に係る構成と異なる種類のノードを使用します。たとえば、図６では、アクセスノードの構成が説明されています。例示されていますように、物理的なファイバーリングにおける全ての波長は、分波器６０１に分岐されます。図６に示される分岐機能は、僅かな量の光エネルギを分岐するための、
波長に依存しない
　（３）　したがいまして、引用文献１に係るシステムは、アドマルチプレクサとして本願発明が備える「各前記論理光リングは、特定の前記論理光リングを規定する前記波長チャネルの光信号が追加および省かれるが他の波長チャネルの光信号は最低限のクロストークで通過するように、各前記ＯＡＤＭノードのうちの一連の前記ＯＡＤＭノードに対応する各前記論理ノードにより構成されており」という構成を備えないことは明らかです。本願発明に係るＯＡＤＭノードは、
波長に依存する
だけ
　（４）　さらに、引用文献１に開示されたシステムと本願発明との相違として、当該システムの各ノードにおける分波器６０１は、二つの波長λ０と、λｉを分波しますが、一方、本願発明に係る「複数の波長が含まれる光信号から、特定の論理光リングを規定する特定の波長チャネルの光信号を抽出するフィルタ手段」は、一つの波長、すなわちＯＡＤＭノードが属する論理光リングの波長のみを抽出する、すなわち省くという点があります。
　（５）　引用文献１に開示されたシステムにおいて、波長λ０は、「データセル転送のための制御情報を伝送する制御波長」です（引用文献１の段落００２１ご参照）。この制御波長は、全てのノードに共通であって、当該システムの各ノードによって受信されて処理されます。この制御波長は、当該システムが機能するためには重要な役割を果たすものです。これに対して本願発明は、制御波長に係る構成を用いておりません。この点からも、本願発明に係る技術思想と、引用発明に係る技術思想とは、全く異なるものです。
　（６）　さらに他の相違点としまして、引用文献１に係るシステムは、時分割のシステムであって、すなわち、ノード間の時間スロットでデータを伝送するという点があります。当該システムは、データセルを用います。引用文献１に係るシステムが公開されている時点において、同期転送モード（ＡＴＭ）システムは周知の技術です。ＡＴＭ技術におきまして、セルは、５３バイト、すなわち４２４ビットの固定長を有するデータパケットとして規定されます。したがいまして、セルはとても短い持続時間を有しますので、ノードは、データパケットを、当該システムの他のノードに伝送するために、とても短い間だけ１波長用います。このことにより、なぜ複数のノードが同一の波長を用いるかが説明されます。
　（７）　引用文献１のシステムでは、波長とは独立に当該システムのノード間の接続が確立され、そのような接続は、図５に示されるように、中央のスイッチまたは交換ノードによって達成されます。中央のノードは、各伝送セルについて、一波長から他の波長に動的に変更するための能力をもたらすアクティブな波長変換を有しています。中央のノードは、全ての波長について当該アクティブな波長変換を有しているので、当該中央のノードは、物理リングにおいて光が際限なく重なって進むことを止めます。このことは、各波長が、多くの光送信器を伴う動的な電気スイッチに接続される電気信号に変換されることを意味します。よって、光は、中央のノードを受動的に通過することができません。したがいまして、引用文献１に開示されたシステムは、一種の光ＡＴＭスイッチまたは交換機であって、本願発明のように、多重化論理リング構造で情報を光伝送するためのシステムではありません。
　（８）　引用文献１において、時分割および制御波長の使用は、なぜノードにある合波器６０２が、多くのクロストーク妨害を引き起こすことなく当該ノードを通過することが許可された波長と同じ波長を有する信号を送信することができるかを、説明しています。
　（９）　しかし、本願発明に係る論理光リング構造においては、「各前記論理光リングは、特定の前記論理光リングを規定する前記波長チャネルの光信号が追加および省かれるが他の波長チャネルの光信号は最低限のクロストークで通過するように、各前記ＯＡＤＭノードのうちの一連の前記ＯＡＤＭノードに対応する各前記論理ノードにより構成されており」、「各前記ＯＡＤＭノードは、複数の波長が含まれる光信号から、特定の論理光リングを規定する特定の波長チャネルの光信号を抽出する」、すなわち、省くための「フィルタ手段」と、「特定の波長の光信号を、前記特定の論理光リングを規定する前記特定の波長チャネルに追加する追加手段」とを含む構成を備えるものです。これらの構成は、引用文献１には開示も示唆もないものです。
　（１０）　よって、少なくも上述の構成上の相違点により、本願発明と引用発明とは明らかに相違するものです。本願発明が有する構成を導くことについて開示も示唆もないことは、各技術思想が相違することからも明らかです。したがいまして、本願請求項１に係る発明は、引用文献１に基づいて当業者が容易になし得ない発明であると思料致します。
　　（４−２）　請求項７について
　請求項７に係る発明は、請求項１に係る発明と同様の構成を有しますので、請求項１に係る発明についての上記理由と同様の理由により、引用文献１に基づいて当業者が容易になし得ない発明であると思料致します。
　　（４−３）　請求項２〜６について
　請求項２〜６は、直接に又は間接に請求項１を引用します。したがいまして、請求項２〜６に係る各発明は、少なくとも、当該請求項に記載の固有の構成により、又は、請求項１に係る発明についての上記理由と同様の理由により、引用文献１に基づいて当業者が容易になし得ない発明であると思料致します。
　　（４−４）　付言
　本願に対応する欧州出願は、欧州特許第１３８９３７４号として登録されておりますので、本願発明は本質的に特許性を有するものと思料致します。
　
第５　むすび
　以上の次第で、本願発明は、引用文献１に係る発明とは明らかな相違点を有しており、当業者といえども、引用文献１に基づいて本願発明を容易に想到し得ないものと思料致します。
　本願を再度ご審理の上、速やかに特許審決を賜りますようお願い申し上げます。」（下線は，請求人が付与。）
　
　
第２　引用文献　
　
１．引用文献　
　当審第２拒絶理由通知書において拒絶の理由で引用した特開平８−５１４０１号公報（以下「引用文献」という。）には，図面とともに次の事項が記載されている。
　
（１）
「【０００１】
【産業上の利用分野】本発明は、リング型のネットワークにおいて、リング伝送路に複数のリングを多重した（例えば波長多重リング）ネットワークシステムにおいて単位データを交換する場合の交換方式に関するものである。」（公報第２ページ第２欄）
　
（２）
「【０００４】
【発明が解決しようとする課題】従来の光リングネットワーク通信システムは以上のように伝送路に波長多重された波長のひとつが各アクセスノードに固定されたノードアドレスとして割り当てられているので、システムに収容可能なノード数が、リングの波長多重数により決まってしまうと言う問題点があった。また、ノードへの送信可否を判定するために全ての波長スロットを取り込んで監視する必要があるとともに、任意の波長で送信ができるように光受信回路、光送信回路が波長数分必要となり、アクセスノードの装置構成が複雑で大きなものになり、更に、各ノードでのアクセス制御も複雑になるという問題点があった。
【０００５】この発明は上記のような問題点を解決するためになされたもので、システムに収容可能なノード数の制約を緩くすることができるとともに、アクセスノードの構成規模を小さくし、アクセス制御の簡略化を図ることを目的とする。
【０００６】
【課題を解決するための手段】本発明に係わる光リングネットワーク通信システムは、以下の要素を有することを特徴とする。
（ａ）光信号が波長多重されたリング状の伝送路、（ｂ）上記伝送路に接続され、それぞれ特定波長の光信号を用いてデータを送受信する複数のアクセスノード、（ｃ）上記伝送路に接続され、あるアクセスノードが用いる特定波長の光信号を他のアクセスノードが用いる他の特定波長の光信号に変換する交換ノード。
【０００７】本発明に係わる光リングネットワーク通信システムにおいて上記伝送路は、さらに、制御情報を伝送する特定波長の制御信号を伝送する。上記アクセスノードは、上記制御信号の制御情報の読み書きによりデータの送受信を特定波長の光信号を用いて実行する。また、上記交換ノードは、上記制御信号に設定された制御情報に基づいて、波長変換を実行する。
【０００８】本発明に係わる光リングネットワーク通信システムは、さらに、各波長ごとにスロット単位でデータを伝送する。上記制御情報は、送受信データの同期をとる同期情報と各波長のスロットの使用状態を示す獲得表示情報と送信および受信アクセスノードを識別するための送受信アクセスノード情報を有する。データを送信するアクセスノードは、上記獲得表示情報により送信アクセスノードが用いる波長と、データを受信する受信アクセスノードが用いる波長の両スロットが空スロットであるかどうか調べ、空である場合に送信アクセスノードが用いる波長の空スロットにデータを挿入する。上記交換ノードは、上記送受信アクセスノード情報の設定に基づいて、送信アクセスノードからの光信号を受信アクセスノードが用いる波長の光信号に変換して、受信アクセスノードが用いる波長の空スロットに挿入する。受信アクセスノードは、上記送受信アクセスノード情報を監視して自ノード宛のデータを受信する。
【０００９】本発明に係わる光リングネットワーク通信システムにおいて上記制御情報は、さらに、スロットを予約する予約表示情報を備えていることを特徴とする。
【００１０】本発明に係わる光リングネットワーク通信システムは、送信アクセスノードと該当送信アクセスノードからのデータを受信する受信アクセスノードの波長が同一の場合、上記受信アクセスノードは上記交換ノードを経由する以前に該当受信アクセスノードにデータが到着した時点でデータを受信することを特徴とする。
【００１１】本発明に係わる光リングネットワーク通信システムにおいて上記交換ノードは、複数波長を分離・多重する分波器・合波器、波長変換を行う波長変換スイッチ、制御情報を基に波長変換スイッチの制御を行う制御部、制御信号を電気信号と光信号との間で変換する光送信回路と光受信回路より構成されることを特徴とする。
【００１２】本発明に係わる光リングネットワーク通信システムにおいて、上記アクセスノードは以下の回路から成る。制御信号に割り当てられた波長及び自ノードに割り当てられた波長を上記伝送路から分岐して取り込む分波器と、伝送路に多重するための合波器。各光送信回路及び光受信回路と、制御信号から同期をとるための信号を検出し、受信信号の同期をとる同期回路。制御情報を読み取り各スロットに自ノード宛てのデータが存在するかどうか判定し、データの受信制御を行う受信制御回路。受信制御回路からの指示により、自ノードに割り当てられた波長のスロットからデータを分離するデータ分離回路と、分離されたデータの受信処理を行う受信処理回路。制御情報を監視して自ノード及び送信したいアクセスノードの波長におけるスロットの空を検出・獲得するとともに、空が検出されない場合はスロットの予約を行うアクセス制御回路。これら制御情報の挿入処理を行う制御情報挿入回路。送信するデータの加工を行う送信処理回路と、送信するデータをアクセス制御回路からの指示により自ノードの波長の獲得したスロットに挿入するデータ挿入回路。」（公報第２ページ第２欄〜第３ページ第４欄）
　
（３）
「【００２０】 
【実施例】 
実施例１．図１は本実施例における光リングネットワークの構成を示すものであり、図２は本発明におけるデータセル転送形態を示す図である。図１において、１１は交換ノード（図中、ＥＮと表す）、１２はアクセスノード（図中、ＡＮと表す）、１３は複数の波長が波長多重されたリング状の伝送路を示す。 
【００２１】次に動作について説明する。リング状の伝送路１３には複数の波長λ0〜λnが波長多重されており、波長λ0 はデータセル転送のための制御情報を伝送する制御波長であり、波長λ1〜λnはデータセル転送用の波長である。交換ノード１１はリング内にひとつ存在し全ての波長λ0〜λnに接続される。また、各複数のアクセスノードは制御波長λ0及び特定のデータセル転送用波長λiの２つに接続され、ノードアドレスとして自ノードの収容される波長例えば、λi とその波長内でのノードNO例えば、#kを持つ。これにより、システムに収容可能なノード数は（リングの波長多重数）×（ノードNOの数）となり、従来に比べ、（ノードNOの数）倍される。 
【００２２】データセルの転送は図２において図に示される波長スロット単位に行われ、波長スロットは制御波長λ0内に構成されるアクセス制御フレームに同期してλ1〜λn 分のｎスロットが１フレームに存在することになり、各アクセスノード１２はλ0 にて引き込んだフレームに同期して動作する。例えばノードアドレス（λ2,#i）のアクセスノード１２がノードアドレス（λi,#k）のアクセスノード１２にセルを送信する時には、λ0 のアクセス制御フレームより自ノードの属する波長λ2と相手ノードの収容される波長λiの両スロットが空であるスロットの自波長スロットにセルを挿入するとともに、該当スロットの制御フレームに自波長スロットの獲得表示情報及び相手波長スロットの獲得表示情報をセットすることで送信動作を行う。これを受けた交換ノード１１は制御フレームの情報に従って同一フレーム内のセルに対しλ2→λiへの波長変換を行ってデータセルを指定されたλiのスロットに挿入する。相手受信アクセスノード１２は制御フレームの情報を常に監視することで、収容される波長λi のスロットに自受信ノード番号宛てのセルを検出し、これを取り込むことによりデータの受信が行われる。セルの受信を完了したアクセスノード１２は受信セルの挿入されていた波長スロットを開放する。 
【００２３】図３は本実施例における光リングネットワークでの、データセル転送のための制御情報を伝送する制御波長λ0 のアクセス制御フレームの構成を示すものである。図３においてアクセス制御フレームは、フレームの同期情報Ｆとデータセル転送用の波長スロット（λ1〜λn）制御情報が多重された構成をとる。 
【００２４】また、各波長スロット制御情報は、対応するスロットの予約を行う予約表示情報、データセル転送に使用中であることを示す獲得表示情報、スロットの予約を行ったアクセスノードのアドレスを示す予約ノードアドレス、スロット内のデータセル転送に係わる送信ノードアドレス及び受信ノードアドレスにより構成される。 
【００２５】例えば図２において、ノードアドレス（λ2,#i）のアクセスノード１２がノードアドレス（λi,#k）のアクセスノード１２にセルを送信する場合は、送信側波長λ2と受信側波長λiの両スロットが空であるスロットのλ2 のスロットにセルを挿入するとともに、該当スロットの制御フレーム内のλ2及びλiの位置に獲得表示情報のセットを行い、送信ノードアドレスに（λ2,#i）を、受信ノードアドレスに（λi,#k）をセットする。これを受けた交換ノード１１は制御フレームの情報に従って同一フレーム内のセルに対しλ2→λiへの波長変換を行ってデータセルを指定されたλi のスロットに挿入する。同時にλ2 波長スロットの制御情報において獲得表示情報をクリアすることでλ2波長スロットを開放する。受信アクセスノード１２は制御フレームの情報を監視し、収容される波長λiのスロットに自受信ノード番号宛てのセルを検出すると、これを取り込んでデータセルの受信が行われる。データセルの受信を完了したアクセスノード１２はλi 波長スロットの制御情報において獲得表示をクリアすることで受信データセルの挿入されていた波長スロットを開放する。 
【００２６】以上のように、本実施例の光リングネットワーク通信システムは、光信号が波長多重されたリング状の伝送路上での各ノードの接続構成を、波長多重された全ての波長に接続されたひとつの交換ノードと、制御情報を伝送する波長λ0 と特定の波長λi の２波長に接続された複数のアクセスノードからなるものとする。また、ひとつの波長λ0 に制御信号を割り当て、各ノードが送受信する際に使用する制御情報をデータセルを転送するスロット毎にフレームに組み立てている。本実施例では、この制御情報を使ってどのようにしてデータセルの転送を行うかについて述べた。また、これにより波長多重された任意の波長に複数のノードが収容でき伝送路に多重された波長数に制限されずに複数のノードを接続できる。」（公報第４ページ第６欄〜第５ページ第７欄） 
　
（４）
「【００３１】実施例３．本実施例では、送信側アクセスノード１２の収容される波長と、受信側アクセスノード１２の収容される波長が同一の場合、どのようにしてデータセルの送受信を行うかについて述べる。 
【００３２】図４は本実施例における光リングネットワークでのデータセルの転送形態を示すものである。通常、収容される波長が異なるアクセスノード１２間でのデータセルの転送は、送信側波長と受信側波長の両スロットが空である送信側波長のスロットにセルを挿入し、交換ノード１１にて波長変換後されてから受信アクセスノード１２で受信されるが、データセルを送信するアクセスノード１２の収容される波長と、該データセルを受信するアクセスノード１２の収容される波長が同一の場合、該データセルを含む波長スロットが前記交換ノードを経由する以前に受信ノードに到着した時点でデータセルの受信が可能である。 
【００３３】例えば、図３・図４において、ノードアドレス（λn,#j）のアクセスノード１２がノードアドレス（λn,#k）のアクセスノード１２にセルを送信する場合、送信側及び受信側波長であるλn の空である波長スロットにセルを挿入するとともに、該当波長スロットの制御フレーム内のλn の位置にのみ獲得表示を行い、送信ノードアドレスに（λn,#j）を、受信ノードアドレスに（λn,#k）をセットする。受信アクセスノード１２が交換ノード１１よりも送信アクセスノード１２側に位置する場合は、交換ノード１１を経由する以前に受信アクセスノード１２で該送信データセルが検出された時点でこれを取り込んでデータの受信が行われる。 
【００３４】また、図において、ノードアドレス（λ2,#i）のアクセスノード１２がノードアドレス（λ2,#k）のアクセスノード１２にセルを送信するような交換ノード１１が受信アクセスノード１２よりも送信アクセスノード１２側に位置する場合は、送信側動作は上記と同様であるが、これを受けた交換ノード１１は、処理を行わずスルーで該波長スロットを通過させ、受信アクセスノード１２で該送信データセルが検出された時点でこれを取り込んでデータの受信が行われる。
【００３５】以上のようにこの実施例では、データセルを送信するアクセスノードの収容される波長と、該データセルを受信するアクセスノードの収容される波長が同一の場合、該データセルを含むスロットが前記交換ノードを経由する以前に受信ノードに到着した時点でデータセルを受信できるようにした例について述べた。これにより、セルの転送を効率的に行うことができる。」（公報第５ページ第８欄〜第６ページ第９欄）
　
（５）
「【００４０】実施例５．本実施例では、アクセスノードの構成について述べる。図６は本実施例におけるノードアドレス（λi,#j）のアクセスノード１２の構成を示すものである。図６において、１２はアクセスノード、６０１はλ0 とλiの波長を分離する分波器、６０２はλ0とλi の波長を多重する合波器である。６０３はλ0のアクセス制御フレーム及びλiの波長スロットを電気→光変換する光送信回路である。６０４はλ0のアクセス制御フレーム及びλiの波長スロットを光→電気変換する光受信回路である。６０５はλ0 のアクセス制御フレームからフレーム同期情報を検出してフレーム同期をとるフレーム同期回路である。６０６はアクセス制御フレームから各波長スロット制御情報を分離・解析して出力するとともに受信波長セルスロットの制御を行う受信制御回路である。６０７はデータセル受信波長スロットからデータセルを分離するデータセル分離回路、６０８は受信データセルの処理を行いノードの収容する装置にデータを出力する受信処理回路である。６０９は送信する波長スロットのアクセス制御を行うアクセス制御回路、６１０はアクセス制御回路６０９の処理結果に従ってアクセス制御フレームの波長スロット制御情報に制御情報を設定する制御情報挿入回路である。６１１はノードの収容する装置から受信した送信データをデータセルに組み立てる送信処理回路、６１２は送信するデータセルをアクセス制御回路６０９の指示に従って波長スロットに挿入するデータセル挿入回路である。 
【００４１】次に動作について説明する。リング状の伝送路１３に多重されたλ0〜λnの波長のうち、分波器６０１により波長λ0とλiが個別に分離されたのち光受信回路６０４にて光→電気変換されてλ0 のアクセス制御フレームはフレーム同期回路６０５と受信制御回路６０６に入力され、λi の受信波長スロットはデータセル分離回路６０７に入力される。 
【００４２】フレーム同期回路６０５はλ0 のアクセス制御フレームからフレーム同期情報を検出してフレーム同期をとり、光送信回路６０３と光受信回路６０４以外の各部にスロットタイミングを供給する。受信制御回路６０６はアクセス制御フレームから各波長スロット制御情報を分離・解析してアクセス制御回路６０９に出力するとともに波長スロットの受信制御を行う。データセル分離回路６０７は受信制御回路６０６からの指示にもとずいて受信波長スロットからデータセルを分離し、分離されたデータセルは受信処理回路６０８で受信処理が行われてノードの収容する装置にデータを出力する。 
【００４３】アクセス制御回路６０９ではノードに接続する制御装置等からデータ送信要求を受け、受信制御回路６０６で解析された各波長スロット制御情報から波長スロットの空の検出及び予約等のアクセス制御を行って、制御情報挿入回路６１０に処理結果を通知する。これに従って制御情報挿入回路６１０はアクセス制御フレームの波長スロット制御情報に制御情報を挿入する。これと並行して送信処理回路６１１でノードの収容する装置からの送信データがデータセルに組み立てられ、データセル挿入回路６１２によって指定された波長スロットに挿入される。 
【００４４】以上のように、本実施例で述べたアクセスノードは波長多重された全ての波長に対する光送信回路及び光受信回路を実装する必要がなく、制御波長λ0 及び収容波長λi の２つの波長の処理にのみ必要な光受信回路及び光送信回路を実装する例について述べた。これにより、アクセスノードの構成規模が複雑になるという課題を解決することができる。 
【００４５】 
【発明の効果】本発明によれば、アクセスノードは、自ノードに割り付けられた波長で送受信することができるため、アクセスノードの装置構成の簡略化と小型化ができ、さらにアクセス制御の簡略化を図ることができる。 
【００４６】また、本発明によれば、特定の波長により制御情報を送ることができるため、より細かいアクセス制御がより簡単に行える。 
【００４７】また、本発明によれば、波長多重された任意の波長に複数のアクセスノードが収容できるため、伝送路に多重された波長数に制限されずに複数のアクセスノードを接続できる。また、各アクセスノードが制御情報を用いることにより各波長ごとのスロット単位でデータ転送ができる。 
【００４８】また、本発明によれば、スロットを予約する制御情報を持たせたことにより、セル廃棄の少ない確実なデータの転送ができるようになる。 
【００４９】また、本発明によればデータを送信するアクセスノードと、該データを受信するアクセスノードの波長が同一の場合、セルの転送を効率的に行うことができる。 
【００５０】また、本発明によれば交換ノードにおいて、制御情報をもとに波長変換スイッチにより波長変換を行うようにしたので、割り当てられた波長が異なるアクセスノード間の通信が容易に実現できるとともにアクセス制御の簡略化を図ることができる。 
【００５１】また、本発明によれば、各アクセスノードが波長多重された全ての波長に対する光送信回路及び光受信回路を実装する必要がないので、アクセスノードの構成規模が複雑になるという課題を解決することができる。」（公報第６ページ第１０欄〜第７ページ第１２欄）
　
　
　上記の記載によれば，引用文献には次の発明（以下「引用発明」という。）が開示されている。
　
「光リングネットワーク通信システムは，
（ａ）光信号が波長多重されたリング状の伝送路，（ｂ）上記伝送路に接続され，それぞれ特定波長の光信号を用いてデータを送受信する複数のアクセスノード，（ｃ）上記伝送路に接続され，あるアクセスノードが用いる特定波長の光信号を他のアクセスノードが用いる他の特定波長の光信号に変換する交換ノード，
を有し，
　上記伝送路は，さらに，制御情報を伝送する特定波長の制御信号を伝送し，上記アクセスノードは，上記制御信号の制御情報の読み書きによりデータの送受信を特定波長の光信号を用いて実行し，また，上記交換ノードは，上記制御信号に設定された制御情報に基づいて，波長変換を実行し，
　さらに，各波長ごとにスロット単位でデータを伝送し，上記制御情報は，送受信データの同期をとる同期情報と各波長のスロットの使用状態を示す獲得表示情報と送信および受信アクセスノードを識別するための送受信アクセスノード情報を有し，データを送信するアクセスノードは，上記獲得表示情報により送信アクセスノードが用いる波長と，データを受信する受信アクセスノードが用いる波長の両スロットが空スロットであるかどうか調べ，空である場合に送信アクセスノードが用いる波長の空スロットにデータを挿入し，上記交換ノードは，上記送受信アクセスノード情報の設定に基づいて，送信アクセスノードからの光信号を受信アクセスノードが用いる波長の光信号に変換して，受信アクセスノードが用いる波長の空スロットに挿入し，受信アクセスノードは，上記送受信アクセスノード情報を監視して自ノード宛のデータを受信し，
　送信アクセスノードと該当送信アクセスノードからのデータを受信する受信アクセスノードの波長が同一の場合，上記受信アクセスノードは上記交換ノードを経由する以前に該当受信アクセスノードにデータが到着した時点でデータを受信することを特徴とし，
　上記交換ノードは，複数波長を分離・多重する分波器・合波器、波長変換を行う波長変換スイッチ，制御情報を基に波長変換スイッチの制御を行う制御部，制御信号を電気信号と光信号との間で変換する光送信回路と光受信回路より構成されることを特徴とし，
　上記アクセスノードは，制御信号に割り当てられた波長及び自ノードに割り当てられた波長を上記伝送路から分岐して取り込む分波器と，伝送路に多重するための合波器，各光送信回路及び光受信回路と，制御信号から同期をとるための信号を検出し，受信信号の同期をとる同期回路，制御情報を読み取り各スロットに自ノード宛てのデータが存在するかどうか判定し，データの受信制御を行う受信制御回路，受信制御回路からの指示により，自ノードに割り当てられた波長のスロットからデータを分離するデータ分離回路と，分離されたデータの受信処理を行う受信処理回路，制御情報を監視して自ノード及び送信したいアクセスノードの波長におけるスロットの空を検出・獲得するとともに，空が検出されない場合はスロットの予約を行うアクセス制御回路，これら制御情報の挿入処理を行う制御情報挿入回路，送信するデータの加工を行う送信処理回路と，送信するデータをアクセス制御回路からの指示により自ノードの波長の獲得したスロットに挿入するデータ挿入回路，から成る，
光リングネットワーク通信システム。」
　
２．周知例等
（１）引用刊行物１
　本件出願の優先日前に頒布された特開２００１−３６５５７号公報（以下「引用刊行物１」という。平成１３年（２００１年）２月９日公開。）には，図面とともに次の事項が記載されている。
　
「【００３６】図７は、本発明によりコンテンプレートされるＣ−ＷＤＭチャネルに対する１つの可能性のある構成をグラフで図示した。
７つのチャネル５０１〜５０７は１４９０、１５１０、１５３０、１５５０、１５７０、１５９０、１６１０ｎｍの公称中央波長を有する。図７に示した２０ｎｍの広いチャネルスペーシング
　
（２）引用刊行物２
　本件出願の優先日前に頒布された特開２００１−５３６８７号公報（以下「引用刊行物２」という。平成１３年（２００１年）２月２３日公開。）には，図面とともに次の事項が記載されている。
　
「【００１８】デュアルリング双方向光ファイバー伝送システムが、一連のノード１１０〜１１６をハブ１３０とお互いつなぐ。これは、複数の広くスペーシングされたコアスＷＤＭチャネルが対応する単方向リング１０１、１０２上で確立されるようにされる。
２０ｎｍのオーダーの比較的広いチャネルのスペーシング
【００１９】
チャネルスペーシング２０ｎｍの１３ｎｍのチャネルパスバンドは典型的である。
　
（３）周知例１
　本件出願の優先日前に頒布された特開平１０−２４２９１７号公報（以下「周知例１」という。平成１０年（１９９８年）９月１１日公開。）には，図面とともに次の事項が記載されている。
　
「【０００９】
Ｎ個のチャネルは、隣接するチャネルにおける信号が互いに干渉することを防止するために、互いに十分に分離されたそれぞれの波長λ1，λ2，λ3 およびλN により識別される。
　
（４）周知例２
　本件出願の優先日前に頒布された特開２００１−７７７９３号公報（以下「周知例２」という。平成１３年（２００１年）３月２３日公開。）には，図面とともに次の事項が記載されている。
「【０００５】ここで、波長分離部２３は、理想的には、波長λ１〜波長λｎの光信号それぞれを完全に分離することが望ましい。波長分離部２３において光信号の分離が完全に行われないと、
互いに隣接する波長の光信号が相互に混入してクロストークが発生する。このような現象は、特に、波長多重光信号において、互いに隣接する波長の間隔が波長分離部２３の分離性能を超える程度に非常に短い場合に起こる。このようなクロストークの影響を受けた光信号が電気信号に変換された場合、変換後の電気信号においてもクロストークによる悪影響すなわちノイズ（以下、クロストークに起因して生じるノイズをクロストークノイズと称する）が発生する。その結果、受信信号の品質が低下するという問題点があった。
【０００６】システム設計者等がこのような事態を予想することは容易であり、
光信号の波長間隔を十分にとることによって容易に問題を解決することができる。
　
　
（当審注　上記引用刊行物１，２及び周知例１，２において下線は当審が付与。上記引用刊行物１，２及び周知例１，２は当審第１拒絶理由通知書において通知済みの文献である。）
　
　
第３　対比　
　
　引用発明と本願発明を比較する。
　
・引用発明のアクセスノードの「分波器」，「合波器」について，「分波器」は制御信号に割り当てられた波長及び自ノードに割り当てられた波長を上記伝送路から分岐して取り込み，「合波器」は制御信号に割り当てられた波長及び自ノードに割り当てられた波長を，伝送路に多重するのであるから，該「分波器」，該「合波器」はそれぞれ本願発明の「光ドロップマルチプレクサ」，「光アドマルチプレクサ」に相当し，該「アクセスノード」は本願発明の「光アド／ドロップマルチプレクサ（ＯＡＤＭ）ノード」といえる。
　そして，上記「分波器」が「複数の波長が含まれる光信号から、特定の光リングを規定する特定の波長の光信号を抽出するフィルタ手段」を備え，上記「合波器」が「特定の波長の光信号を、特定の光リングを規定する前記特定の波長に追加する追加手段」を備えていることは明白である。
　
・引用発明の「光リングネットワーク通信システム」は，（ａ）光信号が波長多重されたリング状の伝送路，（ｂ）上記伝送路に接続され，それぞれ特定波長の光信号を用いてデータを送受信する複数のアクセスノード，（ｃ）上記伝送路に接続され，あるアクセスノードが用いる特定波長の光信号を他のアクセスノードが用いる他の特定波長の光信号に変換する交換ノードを有するのであるから，本願発明と「複数のノードを含む多重化リング構造によって情報を光伝送するためのシステム」である点で共通する。
・ここにおいて，リング状の伝送路は光リングネットワークを構成するのであるから，該「伝送路」が「光ファイバリング」であることは明らかである。そして，該リング状の伝送路には，複数の波長λ0〜λnが波長多重され，特定の波長を分離，合成するアクセスノードが接続されるのであるから，引用発明は本願発明の「各ＯＡＤＭノードがリング状に同一の光ファイバリングに接続され」る構成を備えているといえる。 
　また，引用発明において，波長が異なる場合のアクセスノードでのデータセルの送受信では，交換ノードで波長の変換をし，あるいは波長が同一の場合のアクセスノードでのデータセルの送受信では，交換ノードでスルーすることにより，アクセス制御フレームのスロットを利用し，アクセスノード間でデータセルの送受信を上記の「リング状の伝送路」により行うことができる（上記「第２　１．引用文献」の（４）参照。）のである。
　そして同一の「リング状の伝送路」において波長λ0〜λｎに対応した通信が行われるのであるから，該「リング状の伝送路」に波長λ0〜λnに対応した複数の光リングが論理的に構成されているといえ，さらにアクセスノードが「論理ノード」であるといえることは明らかである。
　そうすると，該「リング状の伝送路」は，本願発明の「多重化論理リング構造」であって，「複数の論理光リングの組み合わせ」である，また「複数の論理光リングの各々は複数の論理ノードの論理的な接続」を含んでいるといえる。そしてまた，引用発明の「それぞれの特定波長」は「リング状の伝送路」における「光信号」の波長であり，該「リング状の伝送路」において「光伝送をおこなうため」のものもであることは明白であるから，該「それぞれの特定波長」は本願発明の「論理光リングにおける光信号の波長であり、論理光リングにおいて光伝送を行なうための波長チャネル」といえる。
　さらに，上記交換ノードの働きから引用発明の「リング状の伝送路」が「特定の論理光リングを規定する波長チャネルの光信号が追加および省かれるが他の波長チャネルの光信号は通過するように，各ＯＡＤＭノードのうちの一連の前記ＯＡＤＭノードに対応する各論理ノードにより」構成されていること，「離れた各波長チャネルにおいて各前記論理光リングが作動」することを可能としていることは明らかである。
　
　以上から，本願発明（平成２２年４月２０日付け手続補正による請求項１に係る発明）と引用発明は次の点で，一致・相違する。
　
＜一致点＞
「複数の論理ノードを含む多重化論理リング構造によって情報を光伝送するためのシステムであって、前記システムは、光アド／ドロップマルチプレクサ（ＯＡＤＭ）を有する複数の光アド／ドロップマルチプレクサ（ＯＡＤＭ）ノードを含み、各前記ＯＡＤＭノードは、リング状に同一の光ファイバリングに接続されており、
　前記多重化論理リング構造は、複数の論理光リングの組み合わせであり、前記複数の論理光リングの各々は複数の前記論理ノードの論理的な接続を含み、各前記論理ノードは、各前記ＯＡＤＭノードに対応し、
　前記複数の論理光リングの各々は特定の異なる波長で作動し、各前記波長は、前記論理光リングにおける光信号の波長であり、前記論理光リングにおいて光伝送を行なうための波長チャネルであり、
　各前記論理光リングは、特定の前記論理光リングを規定する前記波長チャネルの光信号が追加
および
　各前記ＯＡＤＭノードは、複数の波長が含まれる光信号から、特定の論理光リングを規定する特定の波長チャネルの光信号を抽出するフィルタ手段と、特定の波長の光信号を、前記特定の論理光リングを規定する前記特定の波長チャネルに追加する追加手段とを含む、システム。」
　
＜相違点１＞
　本願発明も引用発明もともに「複数の論理光リングの各々は特定の異なる波長で作動」する点では一致している。しかし，引用発明には本願発明の「特定の異なる波長」を「相互に干渉しない」ようにすることについての記載がない点。
　
＜相違点２＞
　本願発明では「各ＯＡＤＭノードのうちの一連の前記ＯＡＤＭノードに対応する各論理ノードにより」，「各論理光リングは，特定の論理光リングを規定する波長チャネルの光信号が追加および省かれるが他の波長チャネルの光信号」を「最低限のクロストーク」で通過させ，さらに「離れた各波長チャネルにおいて各論理光リング」の作動を「最低限のクロストーク」により「可能」としているが，引用発明には本願発明のように作用する「最低限のクロストーク」について記載がない点。 
　
　
第４　当審の判断　
　
１．＜相違点１＞及び＜相違点２＞に対する当審の判断
　本件出願の当初明細書には「【００２１】図２に示される図では、横座標が光波長、γであり、縦座標が光効果、Ｐoptである。ＣＷＤＭ（粗波長分割多重）技術に基づく伝送システムでは、複数の光伝送帯域が光スペクトルの帯域に広がる。図２には、各々が１つのチャネル、λn（ｎ＝１、２、３、４、…）を含む４つの光伝送帯域が示される。
異なる波長チャネルは互いに干渉しないよう分けられる。典型的なチャネル間隔は（周波数帯域における２４００ＧＨｚに対応する）２０ｎｍである。
　一方，光の波長多重通信の分野において，異なる波長チャネルのチャネル間隔を，２０ｎｍとすることには格別な技術的意味を見いだすことはできない（引用刊行物１，２）。
　そしてまた，光の波長多重通信において，波長チャネルの間隔を十分にとることにより，異なるチャネルが相互に干渉しないようにすること（周知例１），クロストークを低減すること（周知例２）は，周知である。
　
２．平成２２年１２月２１日付けの請求人の意見に対する見解
　平成２２年１２月２１日付け意見書「第４　（４−１）請求項１について」に記載された事項について検討する。（当審注　以下において「引用文献１」とは「特開平８−５１４０１号公報」であって，本審決の「引用文献」に対応する。）
　
（１）
　請求人は「引用文献１は、ポイント‐ツー‐ポイント通信のための光システム、すなわち送信ノードから受信ノードまでのための光システム、を開示しており、従いまして、論理光リングを含むシステムを開示しておりません。」と主張する。
　しかし，引用発明の「アクセスノード」は「
制御信号に割り当てられた波長及び自ノードに割り当てられた波長を上記伝送路から分岐して取り込む
自ノード宛てのデータが存在するかどうか判定
自ノードに割り当てられた波長のスロットからデータを分離する
　
（２）
　請求人は「（２）　引用文献１に開示されたシステムは、アクセスノードや交換ノードのような、本願発明に係る構成と異なる種類のノードを使用します。たとえば、図６では、アクセスノードの構成が説明されています。例示されていますように、物理的なファイバーリングにおける全ての波長は、分波器６０１に分岐されます。図６に示される分岐機能は、僅かな量の光エネルギを分岐するための、
波長に依存しない
波長に依存する
だけ
　しかし，引用発明のアクセスノードにおいては，制御信号に割り当てられた波長及び自ノードに割り当てられた波長のみを，「分波器」が分岐し，「合波器」が伝送路に多重していることは明らかである。
　よって，引用発明の「アクセスノード」は「波長に依存するコネクタ」であるといえる。
　
（３）
　請求人は「（４）　さらに、引用文献１に開示されたシステムと本願発明との相違として、当該システムの各ノードにおける分波器６０１は、二つの波長λ０と、λｉを分波しますが、一方、本願発明に係る「複数の波長が含まれる光信号から、特定の論理光リングを規定する特定の波長チャネルの光信号を抽出するフィルタ手段」は、一つの波長、すなわちＯＡＤＭノードが属する論理光リングの波長のみを抽出する、すなわち省くという点があります。　（５）　引用文献１に開示されたシステムにおいて、波長λ０は、「データセル転送のための制御情報を伝送する制御波長」です（引用文献１の段落００２１ご参照）。この制御波長は、全てのノードに共通であって、当該システムの各ノードによって受信されて処理されます。この制御波長は、当該システムが機能するためには重要な役割を果たすものです。これに対して本願発明は、制御波長に係る構成を用いておりません。この点からも、本願発明に係る技術思想と、引用発明に係る技術思想とは、全く異なるものです。」と主張する。
　しかし，「
一つの波長
　そこで，仮に，本願発明が「一つの波長のみを抽出する，すなわち省く」構成を有していた場合について検討しても，引用発明の「制御波長（λ０）」により伝送される「送受信データの同期をとる同期情報と各波長のスロットの使用状態を示す獲得表示情報と送信および受信アクセスノードを識別するための送受信アクセスノード情報」を有する「制御情報」をアクセスノードに割り当てられた波長λｉにより伝送されるデータとともに伝送路に多重することを妨げる技術根拠はなく，上記のような「制御情報」をデータとともに伝送することは，引用例を示すまでもなく周知である。
　よって，論理光リングによる通信において，上記のような「制御情報」を，引用発明のように「制御波長」λ0により行うことに代え，アクセスノードに割り当てられた波長λｉにより行うようにことは当業者が容易に想到し得た事項に過ぎない。
　
（４）
　請求人は「（６）　さらに他の相違点としまして、引用文献１に係るシステムは、時分割のシステムであって、すなわち、ノード間の時間スロットでデータを伝送するという点があります。当該システムは、データセルを用います。引用文献１に係るシステムが公開されている時点において、同期転送モード（ＡＴＭ）システムは周知の技術です。ＡＴＭ技術におきまして、セルは、５３バイト、すなわち４２４ビットの固定長を有するデータパケットとして規定されます。したがいまして、セルはとても短い持続時間を有しますので、ノードは、データパケットを、当該システムの他のノードに伝送するために、とても短い間だけ１波長用います。このことにより、なぜ複数のノードが同一の波長を用いるかが説明されます。　（７）　引用文献１のシステムでは、波長とは独立に当該システムのノード間の接続が確立され、そのような接続は、図５に示されるように、中央のスイッチまたは交換ノードによって達成されます。中央のノードは、各伝送セルについて、一波長から他の波長に動的に変更するための能力をもたらすアクティブな波長変換を有しています。中央のノードは、全ての波長について当該アクティブな波長変換を有しているので、当該中央のノードは、物理リングにおいて光が際限なく重なって進むことを止めます。このことは、各波長が、多くの光送信器を伴う動的な電気スイッチに接続される電気信号に変換されることを意味します。よって、光は、中央のノードを受動的に通過することができません。したがいまして、引用文献１に開示されたシステムは、一種の光ＡＴＭスイッチまたは交換機であって、本願発明のように、多重化論理リング構造で情報を光伝送するためのシステムではありません。」と主張する。
　該主張は，要するに「引用発明において，光は、中央のノードを受動的に通過することができません。したがいまして、引用発明に開示されたシステムは、一種の光ＡＴＭスイッチまたは交換機であって、本願発明のように、多重化論理リング構造で情報を光伝送するためのシステムではありません。」というものであると解される。
　しかし，引用発明の「交換ノード」は，波長が異なる場合のアクセスノードでのデータセルの送受信では，波長の変換をし，あるいは波長が同一の場合のアクセスノードでのデータセルの送受信では，スルーすることにより，アクセス制御フレームのスロットを利用し，アクセスノード間でデータセルの送受信を「リング状の伝送路」により行うことができる（上記「第２　１．引用文献」の（４）参照。）ことは，上記「第３　対比」において述べたとおりである。
　そうすると，引用発明において，波長が同一の場合のアクセスノードでのデータセルの送受信においては，「交換ノード」が請求人のいう「一種の光ＡＴＭスイッチまたは交換機」としての機能を必須としないことは明らかであるから，引用発明において「交換ノード」あるいは該「交換ノード」が「一種の光ＡＴＭスイッチまたは交換機」としての機能を備えるか否かは，当業者が適宜決めうる選択事項に過ぎない。
　
（５）
　請求人は「（８）　引用文献１において、時分割および制御波長の使用は、なぜノードにある合波器６０２が、多くのクロストーク妨害を引き起こすことなく当該ノードを通過することが許可された波長と同じ波長を有する信号を送信することができるかを、説明しています。　（９）　しかし、本願発明に係る論理光リング構造においては、「各前記論理光リングは、特定の前記論理光リングを規定する前記波長チャネルの光信号が追加および省かれるが他の波長チャネルの光信号は最低限のクロストークで通過するように、各前記ＯＡＤＭノードのうちの一連の前記ＯＡＤＭノードに対応する各前記論理ノードにより構成されており」、「各前記ＯＡＤＭノードは、複数の波長が含まれる光信号から、特定の論理光リングを規定する特定の波長チャネルの光信号を抽出する」、すなわち、省くための「フィルタ手段」と、「特定の波長の光信号を、前記特定の論理光リングを規定する前記特定の波長チャネルに追加する追加手段」とを含む構成を備えるものです。これらの構成は、引用文献１には開示も示唆もないものです。」と主張する。
　しかし，上記「フィルタ手段」及び「追加手段」を，引用発明が備えていることは，上記「第３　対比」において述べたとおりである。よって，請求人の主張は採用できない。
　
３．まとめ
　以上のとおりでありから，＜相違点１＞及び＜相違点２＞のように構成することは，引用発明及び周知技術に基づいて，当業者が容易に想到し得たものである。
　そして，本願発明のように構成したことによる効果も，引用発明及び周知技術から予測できる程度のものである。
　
　したがって，本願発明は，引用発明及び周知技術に基づいて，当業者が容易に発明をすることができたものである。
　
　
第５　むすび　
　
　以上のとおり，本願発明（平成２２年４月２０日付け手続補正による請求項１に係る発明）は，特許法第２９条第２項の規定に該当し，特許を受けることができない。
　したがって，本願は，他の請求項について論及するまでもなく，拒絶すべきものである。
　
　よって，結論のとおり，審決する。